(57)【要約】【課題】遊技店における売上金入金処理に関する、店員の労力の軽減を図ること。【解決手段】金種が混合した状態で、金種ごとに所定枚数単位（１０枚単位）に仕分け、あるいは指定した金額になるように自動的に必要枚数をセットし、さらには、バラ紙幣を所定単位枚数（１００枚）ごとに自動結束することが可能な売上金入金処理装置によって達成する。【選択図】図２
2004054458.tif 000002
【特許請求の範囲】
【請求項１】
処理すべき紙幣を一括で受け入れる紙幣受入部と、
該紙幣受入部に受け入れた紙幣を１枚ずつ繰り出して搬送する繰出搬送部と、該繰出搬送部の下流側に位置し、該繰出搬送部によって搬送される紙幣の金種を識別する金種識別部と、
該金種識別部の下流側に位置し、選択的に紙幣を取り込むと共に該選択的に取り込んだ紙幣を送り出すための枚数調整部と、
前記金種識別部により金種が確認された紙幣を堆積させて外部からの取り出しを可能とする紙幣堆積部と、
前記金種識別部の下流側に位置し、搬送される紙幣を使途別に仕分ける仕分部と、該仕分部によって仕分けられた紙幣を各々収納すると共に前記枚数調整部から送り出される紙幣を受け入れる複数の収納部と、
金額情報を入力可能な金額情報入力部と、
を有する売上金入金処理装置であって、
該金額情報入力部に入力された金額情報に基づいて、前記紙幣受入部で受け入れた紙幣を前記紙幣堆積部に送るものであり、前記枚数調整部は、前記紙幣受入部からの紙幣搬送開始時より、所定単位枚数から１を減じた枚数を取り込むようにすると共に、前記紙幣受入部の紙幣が全て前記紙幣堆積部に送られた段階で、該紙幣堆積部に送られた枚数を参照し、その枚数が所定単位枚数となるよう前記枚数調整部から前記紙幣堆積部へ紙幣を送り出し、前記枚数調整部にある残余の紙幣を前記複数の収納部の何れかへ送り出すようにしたことを特徴とする売上金入金処理装置。
【請求項２】
処理すべき紙幣を一括で受け入れる紙幣受入部と、
該紙幣受入部に受け入れた紙幣を１枚ずつ繰り出して搬送する繰出搬送部と、該繰出搬送部の下流側に位置し、該繰出搬送部によって搬送される紙幣の金種を識別する金種識別部と、
該金種識別部の下流側に位置し、選択的に紙幣を取り込むと共に該選択的に取り込んだ紙幣を送り出すための枚数調整部と、
前記金種識別部により金種が確認された紙幣を堆積させて外部からの取り出しを可能とする紙幣堆積部と、
前記金種識別部の下流側に位置し、搬送される紙幣を使途別に仕分ける仕分部と、該仕分部によって仕分けられた紙幣を各々収納すると共に前記枚数調整部から送り出される紙幣を受け入れる複数の収納部と、
金額情報を入力可能な金額情報入力部と、
を有する売上金入金処理装置であって、
該金額情報入力部に入力された準備金額情報に基づいて、前記紙幣受入部で受け入れた紙幣を前記紙幣堆積部に送るものであり、前記枚数調整部は、前記紙幣受入部からの紙幣搬送開始時より、９千円分の紙幣を前取りするようにすると共に、
前記紙幣堆積部に送られた紙幣の金額と前記枚数調整部に送られた紙幣の金額との合計が前記準備金額以上になると前記紙幣堆積部への紙幣搬送を停止し、それ以降の紙幣をすべて前記複数の収納部の何れかへ送り出すようにし、
さらに、
前記紙幣受入部にある紙幣がすべて処理された段階で、前記紙幣堆積部の金額と前記準備金額との差額に相当する紙幣を、前記枚数調整部から前記紙幣堆積部へ送り出し、前記枚数調整部にある残余の紙幣を前記複数の収納部の何れかへ送り出すようにしたことを特徴とする売上金入金処理装置。
【請求項３】
結束処理すべき紙幣を一括で受け入れる紙幣受入部と、
処理対象となる紙幣の金種情報を入力可能な金種情報入力部と、
前記紙幣受入部に受け入れた紙幣を１枚ずつ繰り出して搬送する繰出搬送部と、
該繰出搬送部の下流側に位置し、該繰出搬送部によって搬送される紙幣の金種を識別する金種識別部と、
該金種識別部の下流側に位置し、選択的に紙幣を取り込むと共に該選択的に取り込んだ紙幣を送り出すための枚数調整部と、
結束処理対象となる紙幣を堆積させ、所定単位枚数に到達したときに結束を行う結束部と、
結束処理対象となる紙幣以外の紙幣を堆積させて取り出すための返却部と、
前記金種識別部の下流側に位置し、搬送される紙幣を前記結束部、返却部及び紙幣堆積部のいずれかに仕分ける仕分部と、
を有する売上金入金処理装置であって、
前記枚数調整部は、前記紙幣受入部からの紙幣搬送開始時より、前記所定単位枚数から１を減じた枚数を取り込み、前記紙幣受入部に受け入れられた紙幣が全て処理された段階で、前記結束部に残存する処理対象紙幣の枚数と前記所定単位枚数との差に相当する枚数を前記結束部へ送り出し、前記結束部の紙幣の枚数を所定単位枚数にして結束を可能にすると共に、前記枚数調整部に残存する紙幣を前記紙幣堆積部へ送り出すようにしたことを特徴とする売上金入金処理装置。
【発明の詳細な説明】
【０００１】
【発明の属する技術分野】
本発明は紙幣の売上金入金処理装置に関するもので、特にパチンコ店等の遊技店での運用に好適な売上金入金処理装置に関する。
【０００２】
【従来の技術】
パチンコ店等の遊技店での現金の運用は以下のようになっている。
【０００３】
営業中において、両替機等の釣り銭用の千円札が不足して補充が必要となった場合には、店員が台間玉貸機／台間メダル貸機から千円札を回収してきてこれにあてることになるが、多くの場合、少なくとも数百枚の分量となるので、いちいち数えるのでは煩雑すぎる。そこで目分量で必要枚数を回収してきて、紙幣計数機を利用して計数を行うことになるが、補充する量は所定単位枚数（例えば１０枚単位）とすることが望まれているので、計数の結果、端数の余剰分が発生した場合、この余剰分を元の台間玉貸機／台間メダル貸機に戻す作業が生じ、店員にとって煩わしいものとなっている。
【０００４】
また、遊技店で予め用意してあった特殊景品が営業の最中に底をついてしまったような場合に、特殊景品買い取り業者（実際には問屋）から特殊景品を買い戻す（仕入れる）必要が生ずる。このようなとき、店員は、買い戻すための現金を、台間玉貸機／台間メダル貸機、遊技カード販売機、両替機等から調達することになるが、この買い戻すための現金額は、店舗経営者から具体額が示されるのでその額に合致させる必要がある。この実行のために、紙幣の準備調達を行う店員は手計算を行う必要があり、非常に煩わしいものとなっていた。
【０００５】
さらには、遊技店における営業終了後における入金確定処理（詳細は後述）がなされた後、特殊景品を仕入れるための資金（特殊景品交換代金という）を金種ごとに指定金額分を結束処理する必要があるが、所定単位枚数（例えば１００枚）を１束として結束するためには、１００枚ずつ数えて束にしなければならず、この作業は店員にとって非常に煩わしいものであった。
【０００６】
【発明が解決しようとする課題】
本発明は、上述のような事情に鑑み為されたものであり、パチンコ店等の遊技店における現金の運用に適合させた機能を持たせた売上金入金処理装置を提供することにより、かかる店員の労力の軽減を図ることを目的としている。
【０００７】
【課題を解決するための手段】
本発明は、パチンコ店等の遊技店における現金の運用に適合させた機能を持たせた売上金入金処理装置に関し、本発明の上記目的は、処理すべき紙幣を一括で受け入れる紙幣受入部と、該紙幣受入部に受け入れた紙幣を１枚ずつ繰り出して搬送する繰出搬送部と、該繰出搬送部の下流側に位置し、該繰出搬送部によって搬送される紙幣の金種を識別する金種識別部と、該金種識別部の下流側に位置し、選択的に紙幣を取り込むと共に該選択的に取り込んだ紙幣を送り出すための枚数調整部と、前記金種識別部により金種が確認された紙幣を堆積させて外部からの取り出しを可能とする紙幣堆積部と、前記金種識別部の下流側に位置し、搬送される紙幣を使途別に仕分ける仕分部と、該仕分部によって仕分けられた紙幣を各々収納すると共に前記枚数調整部から送り出される紙幣を受け入れる複数の収納部と、金額情報を入力可能な金額情報入力部と、を有する売上金入金処理装置であって、
該金額情報入力部に入力された金額情報に基づいて、前記紙幣受入部で受け入れた紙幣を前記紙幣堆積部に送るものであり、前記枚数調整部は、前記紙幣受入部からの紙幣搬送開始時より、所定単位枚数から１を減じた枚数を取り込むようにすると共に、前記紙幣受入部の紙幣が全て前記紙幣堆積部に送られた段階で、該紙幣堆積部に送られた枚数を参照し、その枚数が所定単位枚数となるよう前記枚数調整部から前記紙幣堆積部へ紙幣を送り出し、前記枚数調整部にある残余の紙幣を前記複数の収納部の何れかへ送り出すようにしたことを特徴とする売上金入金処理装置によって達成される。
【０００８】
また、本発明の上記目的は、処理すべき紙幣を一括で受け入れる紙幣受入部と、　該紙幣受入部に受け入れた紙幣を１枚ずつ繰り出して搬送する繰出搬送部と、該繰出搬送部の下流側に位置し、該繰出搬送部によって搬送される紙幣の金種を識別する金種識別部と、該金種識別部の下流側に位置し、選択的に紙幣を取り込むと共に該選択的に取り込んだ紙幣を送り出すための枚数調整部と、前記金種識別部により金種が確認された紙幣を堆積させて外部からの取り出しを可能とする紙幣堆積部と、前記金種識別部の下流側に位置し、搬送される紙幣を使途別に仕分ける仕分部と、該仕分部によって仕分けられた紙幣を各々収納すると共に前記枚数調整部から送り出される紙幣を受け入れる複数の収納部と、金額情報を入力可能な金額情報入力部と、を有する売上金入金処理装置であって、
該金額情報入力部に入力された準備金額情報に基づいて、前記紙幣受入部で受け入れた紙幣を前記紙幣堆積部に送るものであり、前記枚数調整部は、前記紙幣受入部からの紙幣搬送開始時より、９千円分の紙幣を前取りするようにすると共に、前記紙幣堆積部に送られた紙幣の金額と前記枚数調整部に送られた紙幣の金額との合計が前記準備金額以上になると前記紙幣堆積部への紙幣搬送を停止し、それ以降の紙幣をすべて前記複数の収納部の何れかへ送り出すようにし、さらに、　前記紙幣受入部にある紙幣がすべて処理された段階で、前記紙幣堆積部の金額と前記準備金額との差額に相当する紙幣を、前記枚数調整部から前記紙幣堆積部へ送り出し、前記枚数調整部にある残余の紙幣を前記複数の収納部の何れかへ送り出すようにしたことを特徴とする売上金入金処理装置によっても達成される。
【０００９】
さらに、本発明の上記目的は、結束処理すべき紙幣を一括で受け入れる紙幣受入部と、処理対象となる紙幣の金種情報を入力可能な金種情報入力部と、前記紙幣受入部に受け入れた紙幣を１枚ずつ繰り出して搬送する繰出搬送部と、該繰出搬送部の下流側に位置し、該繰出搬送部によって搬送される紙幣の金種を識別する金種識別部と、該金種識別部の下流側に位置し、選択的に紙幣を取り込むと共に該選択的に取り込んだ紙幣を送り出すための枚数調整部と、結束処理対象となる紙幣を堆積させ所定単位枚数に到達したときに結束を行う結束部と、結束処理対象となる紙幣以外の紙幣を堆積させて取り出すための返却部と、前記金種識別部の下流側に位置し、搬送される紙幣を前記結束部、返却部及び紙幣堆積部のいずれかに仕分ける仕分部と、を有する売上金入金処理装置であって、
前記枚数調整部は、前記紙幣受入部からの紙幣搬送開始時より、前記所定単位枚数から１を減じた枚数を取り込み、前記紙幣受入部に受け入れられた紙幣が全て処理された段階で、前記結束部に残存する処理対象紙幣の枚数と前記所定単位枚数との差に相当する枚数を前記結束部へ送り出し、前記結束部の紙幣の枚数を所定単位枚数にして結束を可能にすると共に、前記枚数調整部に残存する紙幣を前記紙幣堆積部へ送り出すようにしたことを特徴とする売上金入金処理装置によっても達成される。
【００１０】
【発明の実施の形態】
本発明に係る売上金入金処理装置について、図面を参照しつつ説明する。
【００１１】
図１は、本発明に係る売上金入金処理装置の外観を示すものである。同図中、１は紙幣受入部、２は紙幣堆積部、３は金額情報入力部、１３は返却部である。
【００１２】
図２は、前記売上金入金処理装置の内部構造を示す断面図である。同図中、１は紙幣受入部、２は紙幣堆積部、３は金額情報入力部、４は繰出搬送部、５は金種識別部、６は枚数調整部、７は仕分部、８は運用金収納部としての特殊景品交換代金用紙幣のバラ収納部、９は粗利益収納部としての紙幣カセット、１０は紙幣カセットと接続される一時保留部、１１は結束部、１２は運用金収納部としての両替機／遊技カード販売機用紙幣の束収納部、１３は返却部である。
【００１３】
図３は、前記売上金入金処理装置の制御系の一例のブロック図である。制御部１４は、金種情報入力部３、金種識別部５、仕分部７、結束部１１及び枚数調整部６を所定の制御プログラムに従って制御するものである。また、制御部１４は、演算制御を行うＣＰＵ１４１と、前記制御プログラムが格納されているＲＯＭ１４２と作業メモリであるＲＡＭ１４３を含むものである。さらに、制御部１４には記憶部１５が接続されており、取り込んだ紙幣の金種、枚数、格納場所等のデータを記憶するためのものである。なお、記憶部１５は、前記枚数調整部６に送られた紙幣データを格納する第１メモリエリア１５１と、前記紙幣堆積部２に送られた紙幣データを格納する第２メモリエリア１５２と、前記バラ収納部８に送られた紙幣データを格納する第３メモリエリア１５３とを含んでいる。
【００１４】
ここで、枚数調整部６は、２枚のテープ間に紙幣を挟み込んで渦巻き状に巻き取るものであり、巻き戻す際に紙幣を送り出す構成としている。そして取り込んだ順番と逆の順番で紙幣を送り出す機能となっていて、取り込んだ順番と金種とが対で制御部１４に接続された記憶部１５の第１メモリエリア１５１に記憶される。なお、この枚数調整部６の構成としては、例えば公知の特開平８−６７３８２号公報に開示されている技術を利用することができる。
【００１５】
図４は、本発明に係る売上金入金処理装置の第１の態様のフローチャートである。
【００１６】
まず、本発明の売上金入金処理装置での第１の態様について、パチンコ店等の遊技店での運用を交えて説明する。
【００１７】
パチンコ店等の遊技店では、営業開始に先立ち、遊技客の持参した高額紙幣（例えば万円札や五千円札）から低額紙幣（例えば千円札）への両替に供する両替機に、予め相当量の千円札を用意し装填しておくようにしている。
【００１８】
しかしながら、予想外に多数の遊技客が来店したような場合には、営業中において両替機の千円札が底をついてしまうことがある。このような事態が発生すると、店員が遊技機毎に設けられている台間玉貸機／台間メダル貸機から千円札を回収してきて、両替機に補充するようにしている。なお、前記台間玉貸機／台間メダル貸機には、遊技客が自ら持参して遊技のために費やした千円札や、遊技客が当該遊技店で両替機を利用して両替し、使用した千円札が収納されている。
【００１９】
この台間玉貸機／台間メダル貸機からの千円札の回収の際に、後での売上計算処理を煩わしいものとしないための現金運用面から、回収する枚数は端数が生じないように１０枚単位とすることが望まれている（例えば２７０枚。）。
【００２０】
この実行のために、紙幣の回収を行う店員は、手計算を行うか、紙幣計数機を利用しての計数作業で対処するかのいずれかの手段を採っており、いずれにしても非常に煩わしいものとなっている。
【００２１】
本発明による第１の態様では、下記ステップで処理が行われ、処理終了時において、自動的に１０枚単位とすることができるので、紙幣の回収を行う店員は煩わしさから解放される。
【００２２】
まず、店員は台間玉貸機／台間メダル貸機から、両替機への補充に必要と思われる千円札を目分量で回収してくる（例えば５００枚が必要数であったとして、目分量で回収した量が結果的に５５７枚であったとして以下のステップを説明する）。
【００２３】
店員は回収した千円札を一括で積層状態で紙幣受入部１に投入する（ステップＳ１）。次に、スタートボタン押下により千円札が順次１枚ずつ繰出し搬送され（ステップＳ２）、最初の９枚までは枚数調整部６に送られ、枚数データが制御部１４に接続された記憶部１５の第１メモリエリア１５１に記憶される（ステップＳ３）。
【００２４】
次に、１０枚目以降の千円札について、紙幣受入部１が空になるまで計数しつつ紙幣堆積部２へ送り、計数完了時の計数枚数が制御部１４に接続された記憶部１５の第２メモリエリア１５２に記憶される（ステップＳ４）。（本例では５４８枚と記憶される。）
さらに、制御部１４にあるＣＰＵ１４１が第２メモリエリア１５２に記憶された紙幣堆積部２の枚数を参照し、その枚数の下１桁（これをＸとする）が０でなければ、補数分（１０−Ｘ）を算出し、この（１０−Ｘ）枚分を枚数調整部６から紙幣堆積部２へ送り出し、第２メモリエリア１５２の数値を書き換える（ステップＳ５）。その後、枚数調整部６に残っている千円札をすべてバラ収納部８へ送り、枚数が第３メモリエリア１５３に記憶される（ステップＳ６）。
【００２５】
一方、Ｘ＝０であれば、端数調整不要であるので枚数調整部６に残っている千円札（９枚）をすべてバラ収納部８へ送り、枚数が第３メモリエリア１５３に記憶される（ステップＳ６）。本実施例では、Ｘ＝８であるので、枚数調整部６から２枚の千円札が紙幣堆積部２に送られ、この時点で紙幣堆積部２は５５０枚となる。枚数調整部６に残っている７枚を、収納部の１つであるバラ収納部８に送り、この７枚の枚数データを制御部１４に接続された記憶部１５の第３メモリエリア１５３に記憶することで処理が完了する。
【００２６】
このバラ収納部に送られた７枚は、店舗の営業終了後に行われる売上金入金処理装置での入金確定処理での仕分けの際に、特殊景品交換代金の一部として充当利用される。
【００２７】
次に本発明の第２の態様である、営業中における特殊景品交換代金の準備処理について、図５のフローチャートに基づいて説明する。
【００２８】
本第２の態様に係る紙幣処理方法では、処理終了時において、店員が装置から取り出せる紙幣の総額が店舗経営者から示された金額に合致するようにできるので、店員の煩わしさは解消される。
【００２９】
店舗経営者から示された金額が５０万円であった場合を例として説明する。
【００３０】
まず、店員が両替機等から目分量で５０万円程度の紙幣を調達してくる。（例えば目分量で調達した額が結果的に、万円札２４枚、五千円札２２枚、千円札２４０枚の計５９万円であったとして、以下のフローを説明する。）なお、紙幣は、それぞれの金種が混在した状態であってもよい。
【００３１】
始めに、両替機等から回収してきた紙幣を一括で紙幣受入部に投入する（ステップＳ１１）。次に、準備する金額として５０万円を入力し（ステップＳ１２）、スタートボタンを押下すると（ステップＳ１３）、紙幣受入部１から紙幣が順次１枚ずつ繰り出され（ステップＳ１４）、金種識別部５での金種判定が行われる（ステップＳ１５）。
【００３２】
金種判定の結果、千円札もしくは五千円札であれば枚数調整部６に送られ、金種の順番と額面とが対で、制御部１４に接続された記憶部１５の第１メモリエリア１５１に記憶される（ステップＳ１６）。このようにして、千円札と五千円札との組み合わせで９千円分（具体的には、千円札９枚か、五千円札１枚と千円札４枚のいずれかとなる。）に達するまでは、枚数調整部６に送られる。
【００３３】
一方、金種判定の結果、万円札であった場合は、紙幣堆積部２へ送られ、その計数値が第２メモリエリア１５２に記憶される（ステップＳ１７）。
【００３４】
前記第２メモリエリア１５２に記憶された金額と前記第１メモリエリア１５１に記憶された９千円の金額とを合算した値が５０万円以上、言い換えれば、前記第２メモリエリア１５２に記憶された金額が４９万１千円以上になると、後続の紙幣は全て収納部の１つであるバラ収納部８に送られ、バラ収納部８に送られた紙幣の金額は第３メモリエリア１５３に記憶される（ステップＳ１８）。
【００３５】
こうして、紙幣受入部１に紙幣がなくなるまで前記処理が繰り返される。紙幣受入部１に紙幣がなくなると、制御部１４にあるＣＰＵ１４１が第２メモリエリア１５２に記憶された紙幣堆積部２の金額（これをＸ円とする。）を参照し、指示された金額（本例では５０万円）との差額分（５０万−Ｘ）円を算出し、この金額分を枚数調整部６から紙幣堆積部２へ送り出し、第２メモリエリア１５２の数値を書き換える（ステップＳ１９）。その後、枚数調整部６に残っている紙幣をすべてバラ収納部８へ送り、その金額が第３メモリエリア１５３に記憶される（ステップＳ２０）。
【００３６】
例えば、紙幣堆積部２に４９万５千円が送られた結果の計５０万円超過であるときは、枚数調整部６から５千円分が紙幣堆積部２に送り出され、残りの４千円はバラ収納部８に送られる。
【００３７】
このようにして、５０万円分の紙幣を紙幣堆積部２から取り出すことができる。
【００３８】
なお、残りの紙幣はバラ収納部８で保管され、店舗の営業終了後に行われる売上金入金処理装置での入金確定処理での仕分けの際に、特殊景品交換代金の一部として充当利用される。
【００３９】
次に、第３の態様である特殊景品交換代金の結束処理について、図６のフローチャートに基づいて説明する。
【００４０】
この処理は、遊技店の営業終了後であって、且つ、売上金入金処理装置での入金確定処理が済んだ後に行われる。先に、前記入金確定処理について説明する。
【００４１】
遊技店の営業が終了すると、両替機内に存在する紙幣の全て、遊技カード販売機内に存在する紙幣の全て、及び台間玉貸機／台間メダル貸機内に存在する紙幣の全てが店員の手によって回収される。なおここで、台間玉貸機／台間メダル貸機については、千円札のみが存在するが、両替機と遊技カード販売機については、千円札、五千円札、万円札の３種類が存在する可能性がある。
【００４２】
売上金入金処理装置の金額情報入力部３にて、店内準備金としての千円札の枚数及び特殊景品交換代金としての各金種毎の枚数が入力され、紙幣受入部１に前記各金種別にまとめられた紙幣を積み重ね、スタートボタン押下により入金確定処理が開始される。
【００４３】
例えば、千円札が最下層、次いで五千円札、次いで万円札の順で積み重ねられたとすると、最初に千円札が前記紙幣受入部１から繰り出される。繰り出された千円札は金種識別部５によって千円札であるとの確認がなされ、店内準備金として入力された枚数に達するまでは、結束部１１に送られる。結束部１１に結束単位である１００枚が送られた時点で一旦繰り出しが停止される。そして、この１００枚が結束部１１にて結束され、結束が完了した結束紙幣を束収納部１２に収納すると、繰り出しが再開される。例えば、店内準備金としての千円札の枚数が２７００枚と入力された場合には、前述のステップが２７回繰り返される。次いで、特殊景品交換代金として指定入力された千円札の枚数に達するまで、千円札は複数の収納部の１つであるバラ収納部８に送られて収納される。余剰の千円札は、複数の収納部の１つである紙幣カセット９に送られる。この紙幣カセット９に収納されるものが、その日の営業での粗利益となる。
【００４４】
五千円札及び万円札についても順次同様なステップを踏んで、特殊景品交換代金として指定入力された枚数に達するまでは、各々が複数の収納部の１つであるバラ収納部８に送られ、余剰分は各々が紙幣カセット９に送られる。
【００４５】
このようなステップを踏んで入金確定処理がなされ、紙幣受入部１で受け入れた積み重ね紙幣は、束収納部１２、バラ収納部８、及び紙幣カセット９の３ヶ所に仕分けされて入金確定処理が完了となる。
【００４６】
この入金確定処理が完了すると、店員は束収納部１２に収納された店内準備金である千円札の束を取り出して結束を解き、翌日の営業に備えるべく両替機に装填する。このようにして束収納部１２が空になってはじめて、特殊景品交換代金の結束処理が可能な環境となる。
【００４７】
そこで、次に、特殊景品交換代金の結束処理について説明する。
【００４８】
特殊景品交換代金が収納されたバラ収納部８から紙幣を一括で取り出して、紙幣受入部１に積み重ね（ステップＳ２１）、スタートボタンを押下することで処理が開始される（ステップＳ２２）。前述の例では、紙幣は千円札、五千円札、万円札の順で積み重ねられているとしたが、これに限られず金種が混在していてもこの処理は可能である。
【００４９】
ここでは、金種が混在している場合を例にとって説明する。
【００５０】
金種情報入力部（金額情報入力部と兼用）から結束対象金種として最初に千円札を指定（金種情報の入力）したとすると（ステップＳ２３）、　金種混在の紙幣が順次繰り出し搬送され（ステップＳ２４）、金種識別部５でその金種が判定される（ステップＳ２５）。
【００５１】
金種情報として千円札を入力しているので、千円札以外の金種紙幣は返却部１３へ送られ（ステップＳ２６）、千円札については初めの９９枚までは枚数調整部６に送られる（ステップＳ２７）。それ以降の千円札は結束部１１へ送られ（ステップＳ２８）、１００枚ごとに結束されて束収納部１２に収納される（ステップＳ２９）。
【００５２】
紙幣受入部１に紙幣がなくなると、結束部１１に残された端数（１００枚未満）の枚数（これをＸとする。）の補数（１００−Ｘ）枚の紙幣を枚数調整部６から結束部１１へ送り、計１００枚にして結束し、これを束収納部１２に送る（ステップＳ３０）。最後に、枚数調整部６の残りの千円札をすべて紙幣堆積部２へ送る（ステップＳ３１）。これで千円札の処理は終了となる。
【００５３】
ここで、例えば、千円札の枚数が５４０枚であった場合には、９９枚が最初に枚数調整部６で確保され、１００枚単位の束が４束作成される。残りは４１枚（５４０−９９−４００＝４１枚）なので、この状態では１００枚に満たないから結束できないが、補数分の５９枚（１００−４１＝５９枚）を前記枚数調整部６から送り出して１００枚として５束目が結束される。残りの４０枚（９９−５９＝４０枚）を紙幣堆積部２に送ることで、千円札についての結束処理が完了する。
【００５４】
返却部１３に送られた千円札以外の紙幣を取り出して紙幣受入部１に投入し、五千円札（又は万円札）を指定すれば、同様な手順で五千円札（又は万円札）についての結束処理がなされる。
【００５５】
本処理が完了すると、千円札、五千円札、万円札のそれぞれについて、１００枚単位の束が作成されて束収納部１２に収納され、１００枚に満たない端数のものはそのつど紙幣堆積部２に送られる。このようにして、特殊景品交換代金が扱い易い形に結束加工される。
【００５６】
【発明の効果】
処理すべき紙幣の枚数が未知であり、且つ所定単位枚数としての端数枚数を伴うものであっても、売上金入金処理装置の枚数調整部にて、所定単位枚数から１を減じた枚数を前取りし、この前取りのものから所定単位枚数となるように必要枚数を送り出し、残余分は複数の収納部の何れかに送り出すと共にその枚数データを装置の記憶部に記憶するようにした。このことにより、残余分を元の台間玉貸機／台間メダル貸機に戻す作業が不要となり、この残余分は営業終了後に行われる入金確定処理の際に、加算利用できるので合理的である。
【図面の簡単な説明】
【図１】本発明に係る売上金入金処理装置の外観を示す図である。
【図２】売上金入金処理装置の内部構造を示す断面図である
【図３】売上金入金処理装置の制御系の一例のブロック図である。
【図４】本発明に係る売上金入金処理装置の第１の態様のフローチャートである。
【図５】本発明に係る売上金入金処理装置の第２の態様のフローチャートである。
【図６】本発明に係る売上金入金処理装置の第３の態様のフローチャートである。
【符号の説明】
１　紙幣受入部
２　紙幣堆積部
３　金額情報入力部
４　繰出搬送部
５　金種識別部
６　枚数調整部
７　仕分部
８　バラ収納部
９　紙幣カセット
１０　一時保留部
１１　結束部
１２　束収納部
１３　返却部
１４　制御部
１５　記憶部
【図１】
2004054458.tif 000003
【図２】
2004054458.tif 000004
【図３】
2004054458.tif 000005
【図４】
2004054458.tif 000006
【図５】
2004054458.tif 000007
【図６】
2004054458.tif 000008